【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
風力タービンの設置又はメンテナンスのためのホイスティングシステム（２５５）であって、
ホイスティングシステムは、風力タービンタワーの既設部分に荷重支持結合（load bearing connection）を形成する手段を含み、及び、当該ホイスティングシステムを風力タービンタワーの既設部分に沿って上下運動させる手段を含み、
ホイスティングシステムは、タワーセグメント（３１、３２、５６、７１）、ナセル（３、１２２、２５２）、発電機（４）、ハブ（５、２５３）及びブレード（６、２５４）の何れかを１又は２以上のコンバインドホイスト又はシングルホイストで設置又は除去するよう構成されている、
ホイスティングシステム。
【請求項２】
洋上風力タービン（１）又は陸上風力タービン（２５０）の設置又はメンテナンスのための請求項１に記載のホイスティングシステム（２５５）であって、
風力タービンはタワーを含み、ホイスティングシステムはカラム（１０、１３８、１９０、２１０）とブーム（１４、１３６）とウィンチ（１５）とを含み、
カラムは、１又は２以上の結合ポイント（７、１９、２０、３４、３６、４９、４０、６２、７４、９０、９２、９９、１０７、１３９、１６０、１８４、１８５、１８６、２３０）を用いて、タワーの部分に対し荷重支持結合を形成するよう構成されており、
結合ポイントは、タワーの長手方向に沿って位置付けられており、
カラムは、荷重支持結合が形成されたとき、ホイスティングシステムをタワーの前記部分に沿って実質的に垂直方向に運動させるよう構成されている、
ホイスティングシステム。
【請求項３】
請求項２に記載のホイスティングシステムであって、
カラムと結合ポイントとの間の荷重支持結合は、ホイスティング作業中、荷重支持結合によるパーツ間ジョイント（joint）の仮想水平軸線の周りにおける少なくとも０．２５°の回転自由度又は少なくとも０．５°の回転自由度又は１°の回転自由度を可能にするよう形成される、
ホイスティングシステム。
【請求項４】
請求項２又は３に記載のホイスティングシステムであって、
カラムは、ホイスティングシステムを前記１又は２以上の結合ポイントを用いた荷重支持結合に沿って案内することを可能にするレール（９、１３７、１９１、１９８、２０４、２１３）を更に用いて、荷重支持結合を形成するよう構成されている、
ホイスティングシステム。
【請求項５】
請求項４に記載のホイスティングシステムであって、
ブームは、レールから少なくとも１５ｍ又は少なくとも２５ｍの距離に到達する、
ホイスティングシステム。
【請求項６】
請求項５に記載のホイスティングシステムであって、
前記ブームは、
ヨーベアリング、但し、該ヨーベアリングの軸と前記レールの長手方向との間の角度は少なくとも０．５°又は凡そ０．７５°である、及び、
枢動ヒンジ、但し、該枢動ヒンジは、前記ブームを前記カラムに対し当該枢動ヒンジの周りで回動させて少なくとも２０°の枢動角度の変化を可能にするための液圧シリンダ又はエレクトロメカニカルアクチュエータを含む、
の少なくとも１つを介して前記カラムに結合している、
ホイスティングシステム。
【請求項７】
請求項２〜６の何れかに記載のホイスティングシステムであって、
前記ブームは、ホイスティングケーブルを操作するためのケーブルを含む、
ホイスティングシステム。
【請求項８】
請求項２〜７の何れかに記載のホイスティングシステムであって、
前記ブームは、該ブームと該ブームのホイスティングポイントから枢動ヒンジの中心への仮想ラインセグメントとの間に、少なくとも１．５ｍ又は少なくとも２．５ｍ又は凡そ４ｍの距離が得られるよう、湾曲ないし屈曲される、
ホイスティングシステム。
【請求項９】
請求項４〜８の何れかに記載のホイスティングシステムであって、
前記タワーは前記１又は２以上の結合ポイントを含み、前記レールは前記カラムに結合されており、該レールは１０ｍの最小長さを有し、又は該レールは２０ｍの最小長さを有し、又は該レールは３４ｍの最小長さを有する、
ホイスティングシステム。
【請求項１０】
請求項４〜９の何れかに記載のホイスティングシステムであって、
前記レールの第１セクションは（１つの）結合ポイントに該レールを取り付けるために該レールを開く（open）よう構成された手段を含み、該手段は、更に、レールを閉じ、その結果、該レールが結合ポイントにスライド可能に結合されることにより、ホイスティングシステムを該レールに対し実質的に平行な方向に前記タワーに対し相対的に運動させることを可能にするよう構成されている、
ホイスティングシステム。
【請求項１１】
請求項２〜１０の何れかに記載のホイスティングシステムであって、
前記カラムは、好ましくは連続（ないし無端：going around）チェーン又はクライミングアクチュエータ又はワゴン（２４２）を用いることにより、ホイスティングシステムを前記タワーに沿って実質的に垂直方向に運動させるよう構成されている、
ホイスティングシステム。
【請求項１２】
請求項１１に記載のホイスティングシステムであって、
前記クライミングアクチュエータはコネクションアクチュエータ（９７、９８）を含み、該コネクションアクチュエータは該クライミングアクチュエータの一方の端部を前記カラムから離れる又は該カラムに向かう方向へ運動させるよう構成されている、
ホイスティングシステム。
【請求項１３】
請求項１１又は１２に記載のホイスティングシステムであって、
前記カラムは第１クライミングシステムと第２クライミングシステムを含み、各クライミングシステムは一方のサイドでは（１つの）結合ポイントにおいて結合（connection）を形成するよう構成されており、他方のサイドでは該カラムに結合されており、
各クライミングシステムは、ホイスティングシステムを実質的に垂直な配向で前記タワーに沿って運動させるよう構成されており、
該第１クライミングシステムと該第２クライミングシステムとの間のそれらの結合された端部間で測定される距離は、前記カラムの長手方向において少なくとも１．８ｍである、
ホイスティングシステム。
【請求項１４】
請求項４〜１３の何れかに記載のホイスティングシステムであって、
前記荷重支持結合は、ホイスティングシステムを結合ポイントに結合するための荷重支持連結器（load bearing coupling）を含み、ホイスティング作業中、荷重支持連結器は、前記レールの長さの上側の６５％のところ又は前記レールの長さの上側の３５％のところ又は前記レールの長さの上側の１０％のところに位置付けられた単独の（ただ１つの：single）結合ポイントを介して、垂直力の少なくとも９０％を前記タワーに伝えるよう、構成されている、
ホイスティングシステム。
【請求項１５】
請求項１〜１４の何れかに記載のホイスティングシステムであって、
更に、ディーゼル発電機、燃料電池又は蓄電池のような化学反応に基づく電源（２１８）を含む、
ホイスティングシステム。
【請求項１６】
請求項１〜１５の何れかに記載のホイスティングシステムであって、
タワー頂部セグメント及び風力タービンのナセル（２５２）、発電機（２１６）、ハブ（２５３）及びブレード（２５４）又はそれらの部分の１又は２以上をホイストしかつ設置するよう構成されている、
ホイスティングシステム。
【請求項１７】
陸上型（２５０）又は洋上型（１）の風力タービンであって、
該風力タービンは、タワー、ナセル（２５２）、発電機（２１８）、ハブ（２５３）及び少なくとも１つのブレード（２５４）を含み、
該タワーは、請求項１〜１６の何れかに記載のホイスティングシステム（２５５）の分離可能な結合及び案内のための１又は２以上の結合ポイント（７、１９、２０、３４、３６、４９、４０、６２、７４、９０、９２、９９、１０７、１３９、１６０、１８４、１８５、１８６、２３０）を含み、
前記結合ポイントは該タワーの長手方向に沿って位置付けられている、
風力タービン。
【請求項１８】
請求項１７に記載の風力タービンであって、
前記タワーは、１０ｍ超の相互間隔で又は３０ｍ未満の相互間隔で又は１５ｍ未満の相互間隔で配された複数の結合ポイントを含む、
風力タービン。
【請求項１９】
請求項１７又は１８に記載の風力タービンであって、
前記タワーは、複数の積み重ねセグメント（２）を含み、
少なくとも１つの結合ポイントは、２つの隣り合うタワーセグメントのオーバーラップ部分（８）に位置付けられている、
風力タービン。
【請求項２０】
請求項１７〜１９の何れかに記載の風力タービンであって、
少なくとも１つの結合ポイントは、該結合ポイントの中心から該結合ポイントの中心から少なくとも５０ｃｍ離れたところまでの又は該結合ポイントの中心から少なくとも１００ｃｍ離れたところまでの距離に沿って前記タワーの外側において補強されている、
風力タービン。
【請求項２１】
請求項１７〜２０の何れかに記載の風力タービンであって、
前記タワーの内部は、前記結合ポイントにおいて補強されている、
風力タービン。
【請求項２２】
請求項１７〜２１の何れかに記載の風力タービンであって、
３つの連続する結合ポイントの中心は、前記タワーの長手方向に対し前記タワーの半径方向に２０ｃｍの最大偏差を伴って又は前記タワーの半径方向に１０ｃｍの最大偏差を伴って又は前記タワーの半径方向に５ｃｍの最大偏差を伴って整列している、
風力タービン。
【請求項２３】
請求項１７〜２２の何れかに記載の風力タービンであって、
前記タワーは、タワー長さの５０％を超える又はタワー長さの８０％を超える荷重支持壁（load bearing wall）を含む、
風力タービン。
【請求項２４】
請求項１７〜２３の何れかに記載の風力タービンであって、
前記タワーの長手方向に対し直角な方向における前記荷重支持壁の横断面は、円状又は多角形状に形成されている、
風力タービン。
【請求項２５】
請求項１７〜２４の何れかに記載の風力タービンであって、
前記タワーは、チューブ状に形成され、かつ、複数の垂直セグメントから組み立てられ、
各セグメントは、１つのセグメントの長さにわたって延在する複数の湾曲又は屈曲プレートから組み立てられている、
風力タービン。
【請求項２６】
請求項１９〜２５の何れかに記載の風力タービンであって、
前記セグメントの１又は２以上は、１０ｍ〜１６ｍの長さを有する、
風力タービン。
【請求項２７】
請求項１７〜２６の何れかに記載の風力タービンであって、
前記タワーは、タワー長さの少なくとも５０％にわたって又はタワー長さの少なくとも８０％にわたってテーパー状に（先細形状に）形成されている、
風力タービン。
【請求項２８】
請求項１７〜２７の何れかに記載の風力タービンであって、
全ての結合ポイントの高さの合計は、タワー長さの２０％未満又はタワー長さの１０％未満である、
風力タービン。
【請求項２９】
請求項１７〜２８の何れかに記載の風力タービンであって、
風力タービンは、堤防（dike）の中央部から１００ｍ未満又は５０ｍ未満又は２０ｍ未満の距離のところに設置されている、
風力タービン。
【請求項３０】
請求項１７〜２９の何れかに記載の風力タービンであって、
請求項１〜１６の何れかに記載のホイスティングシステムに応じて構成された第２のホイスティングシステムの分離可能な結合のために、前記タワーの長手方向に沿って連続的にかつタワー中心軸を中心とする円筒座標系において前記１又は２以上の結合ポイントから少なくとも２０°の角度差をなして位置付けられた１又は２以上の更なる結合ポイントを含む、
風力タービン。
【請求項３１】
請求項３０に記載の風力タービンであって、
海面（１３４）から突出する構造体（１３３）を含み、
該構造体は、ホイスティングシステムの分離可能な結合かつ案内のための前記１又は２以上の結合ポイントの少なくとも１つを含む移行部分（transition piece）を含む、
風力タービン。
【請求項３２】
請求項１７〜３１の何れかに記載の風力タービンであって、
風力タービンは軸高さ（axis height）を有し、該軸高さは８０ｍ超又は１３０ｍ超又は１８０ｍ超である、
風力タービン。
【請求項３３】
請求項１７〜３２の何れかに記載の風力タービンであって、
風力タービンは設計（design）ｒｐｍを有し、
風速１２ｍ／ｓの場合の設計ｒｐｍと風速６ｍ／ｓの場合の設計ｒｐｍとの比は、３未満かつ１．３超又は１．５超又は１．８超である、
風力タービン。
【請求項３４】
請求項１７〜３３の何れかに記載の風力タービンであって、
ホイスティングシステムは、前記タワーの実質的に一方のサイドの外側に分離可能に結合されており、それによって、風力タービンとホイスティングシステムのコンビネーション（１）を形成する、
風力タービン。
【請求項３５】
請求項３４に記載の風力タービンであって、
ホイスティングシステムはカラムとレールを含み、
該カラムは該レールに結合されており、該レールは該タワーに沿ってホイスティングシステムを案内するよう構成されており、
該レールは前記結合ポイントの少なくとも１つに固定的に又はスライド可能に結合している、
風力タービン。
【請求項３６】
請求項３５に記載の風力タービンであって、
前記レールは、少なくとも２つの結合ポイントに対しスライド可能に及び／又は固定的に結合されている、
風力タービン。
【請求項３７】
請求項３５又は３６に記載の風力タービンであって、
風力タービンの建設中にタワーのパーツのホイスティング作業のためにホイスティングシステムを前記タワーに分離可能に結合するために使用される地表面から測定して最も高い位置にある結合ポイントは、最上部の２つの既設のタワーセグメントのオーバーラップ部分に位置付けられている、
風力タービン。
【請求項３８】
請求項３４〜３７の何れかに記載の風力タービンであって、
ホイスティングシステムは、枢動ヒンジに対しホイスティングポイントのほぼ反対側においてカウンタウェート（釣り合い錘：contra weight）又はカウンタ（釣り合い）力を生成する手段なしで、前記タワーに分離可能に結合されている、
風力タービン。
【請求項３９】
請求項１７〜３８の何れかに記載の風力タービンの、頂部タワーセグメント以外の、タワーセグメント（２）であって、
該セグメントは、当該セグメントが風力タービンの部分として設置されるとき、請求項１〜１６の何れかに記載のホイスティングシステムを分離可能に結合するための結合ポイントを含む、
タワーセグメント。
【請求項４０】
請求項１７〜３８の何れかに記載の風力タービンを建設するための方法であって、
該方法は、請求項１〜１６の何れかに記載のホイスティングシステムを用いて基部の上部に１又は２以上のタワーセグメントを設置することにより風力タービンのタワーの少なくとも一部分を構築すること
を含む、
方法。
【請求項４１】
請求項１７〜３８の何れかに記載の風力タービンを建設するための方法であって、
前記ホイスティングシステムを用いない伝統的な建設方法を用いて地平面の近くに設置される１又は２以上の底部タワーセグメントを建設することを含む、
方法。
【請求項４２】
請求項４０又は４１に記載の方法であって、
前記ホイスティングシステムを用いて連続するタワーセグメントの１又は２以上の部分をホイストし、該セグメントを設置することにより、前記タワーの部分を形成すること、及び、
前記ホイスティングシステムを前記結合ポイントに沿って上方へ案内し、前記レールを前記連続するタワーセグメントの１又は２以上の結合ポイントに固定的に又は分離可能に結合すること
を含む、
方法。
【請求項４３】
請求項４２に記載の方法であって、
最後のタワーセグメントが設置されたのち、風力タービンのナセル、発電機、ハブ及びブレード又はこれらの部分の１又は２以上をホイストしかつ設置するステップを更に含む、
方法。
【請求項４４】
請求項４３に記載の方法であって、
複数のブレードを一度に１つずつホイストする場合、該方法は、他のブレードをホイストしかつ設置するために適切な位置にハブを位置付けることを可能にするために、設置されたブレードを前記ホイスティングシステムを用いて上下にホイスト（昇降）することにより設置されたハブを回転させるステップを含む、
方法。
【請求項４５】
請求項４０〜４４の何れかに記載の方法であって、
全体で４つの最下部タワーセグメントの何れか１つのホイスト中、前記ホイスティングシステムのブームのホイスティングポイントと、前記ホイスティングシステムと前記タワーの間の上側結合ポイントの中心との間の距離は、常に、該タワーセグメントの直径よりも小さい、
方法。
【請求項４６】
請求項４０〜４５の何れかに記載の方法であって、
請求項３０に応じた第２ホイスティングシステムをホイストしかつ設置することを更に含み、該ホイスト及び設置は前記ホイスティングシステムを用いる、
方法。
【請求項４７】
請求項１７〜３８の何れかに記載の風力タービン又は建設中の風力タービンに請求項１〜１６の何れかに記載のホイスティングシステムを分離可能に結合する方法であって、
該ホイスティングシステムはカラムとレールを含み、該カラムは該レールに結合されており、該風力タービンは２又は３以上のタワーセグメントと１又は２以上の結合ポイントとを含むタワーを含み、
該方法は、前記レールを前記１又は２以上の結合ポイントに固定的に結合するステップを含む、
方法。
【請求項４８】
請求項４０に記載の方法であって、
前記風力タービンは洋上風力タービンであり、
該方法は、１又は２以上のタワーセグメントに結合されたホイスティングシステムを船舶（１３０）から該風力タービンの基部（１３３）にホイストすることを更に含む、
方法。
【請求項４９】
請求項４０に記載の方法であって、
前記風力タービンは洋上風力発電装置であり、
該方法は、該風力タービンの設置された部分に結合されたケーブル（１５７）を用いて、前記ホイスティングシステムを台船（pontoon）から該風力タービンの設置された部分の１又は２以上の結合ポイントにホイストすることを更に含む、
方法。
【請求項５０】
請求項１７〜３８の何れかに記載の風力タービン又は建設中の風力タービンから請求項１〜１６の何れかに記載のホイスティングシステムを除去する方法であって、
該ホイスティングシステムはカラムとレールを含み、該カラムは該レールに結合されており、該風力タービンは２又は３以上のタワーセグメントと１又は２以上の結合ポイントとを含むタワーを含み、
該方法は、結合ポイントに対する前記レールの固定的な結合を解除するステップ、結合ポイントに対する前記レールのスライド可能な結合を用いて前記ホイスティングシステムを下方に運動させるステップ、及び、該ホイスティングシステムを該風力タービンから取り去るステップを含む、
方法。
【請求項５１】
既設の風力タービンを適合化するための方法であって、
１又は２以上の結合ポイントを該既設の風力タービンのタワーに適用し、それによって、請求項１〜１６の何れかに記載のホイスティングシステムを該既設の風力タービンの当該１又は２以上の結合ポイントに分離可能に結合可能にすること、
を含む、方法。
【手続補正２】
【補正対象書類名】明細書
【補正対象項目名】０００８
【補正方法】変更
【補正の内容】
【０００８】
本発明の第１の視点により、風力タービンの設置又はメンテナンスのためのホイスティングシステムが提供される。ホイスティングシステムは、風力タービンタワーの既設部分に荷重支持結合（load bearing connection）を形成する手段を含み、及び、当該ホイスティングシステムを風力タービンタワーの既設部分に沿って上下運動させる手段を含み、
ホイスティングシステムは、タワーセグメント、ナセル、発電機、ハブ及びブレードの何れかを１又は２以上のコンバインドホイスト又はシングルホイストで設置又は除去するよう構成されている（形態１・第１基本構成）。
本発明の第２の視点により、陸上型又は洋上型の風力タービンが提供される。
該風力タービンは、タワー、ナセル、発電機、ハブ及び少なくとも１つのブレードを含み、
該タワーは、本発明に応じたホイスティングシステムの分離可能な結合及び案内のための１又は２以上の結合ポイントを含み、
前記結合ポイントは該タワーの長手方向に沿って位置付けられている（形態１７・第２基本構成）。
本発明の第３の視点により、本発明に応じた風力タービンを建設するための方法が提供される。
該方法は、本発明に応じたホイスティングシステムを用いて基部の上部に１又は２以上のタワーセグメントを設置することにより風力タービンのタワーの少なくとも一部分を構築すること
を含む（形態４０・第３基本構成）。
本発明の第４の視点により、本発明に応じた風力タービンを建設するための方法が提供される。
該方法は、前記ホイスティングシステムを用いない伝統的な建設方法を用いて地平面の近くに設置される１又は２以上の底部タワーセグメントを建設することを含む（形態４１・第４基本構成）。
本発明の第５の視点により、本発明に応じた風力タービン又は建設中の風力タービンから本発明に応じたホイスティングシステムを除去する方法が提供される。該方法において、
該ホイスティングシステムはカラムとレールを含み、該カラムは該レールに結合されており、該風力タービンは２又は３以上のタワーセグメントと１又は２以上の結合ポイントとを含むタワーを含み、
該方法は、結合ポイントに対する前記レールの固定的な結合を解除するステップ、結合ポイントに対する前記レールのスライド可能な結合を用いて前記ホイスティングシステムを下方に運動させるステップ、及び、該ホイスティングシステムを該風力タービンから取り去るステップを含む（形態５０・第５基本構成）。
本発明の第６の視点により、既設の風力タービンを適合化するための方法が提供される。該方法は、
１又は２以上の結合ポイントを該既設の風力タービンのタワーに適用し、それによって、本発明に応じたホイスティングシステムを該既設の風力タービンの当該１又は２以上の結合ポイントに分離可能に結合可能にすることを含む（形態５１・第６基本構成）。
【手続補正３】
【補正対象書類名】明細書
【補正対象項目名】００７６
【補正方法】変更
【補正の内容】
【００７６】
ここに、本発明の好ましい実施の形態を示す。
（形態１）上記第１基本構成参照。
（形態２）洋上風力タービン又は陸上風力タービンの設置又はメンテナンスのための形態１のホイスティングシステムにおいて、
風力タービンはタワーを含み、ホイスティングシステムはカラムとブームとウィンチとを含み、
カラムは、１又は２以上の結合ポイントを用いて、タワーの部分に対し荷重支持結合を形成するよう構成されており、
結合ポイントは、タワーの長手方向に沿って位置付けられており、
カラムは、荷重支持結合が形成されたとき、ホイスティングシステムをタワーの前記部分に沿って実質的に垂直方向に運動させるよう構成されていることが好ましい。
（形態３）形態２のホイスティングシステムにおいて、
カラムと結合ポイントとの間の荷重支持結合は、ホイスティング作業中、荷重支持結合によるパーツ間ジョイント（joint）の仮想水平軸線の周りにおける少なくとも０．２５°の回転自由度又は少なくとも０．５°の回転自由度又は１°の回転自由度を可能にするよう形成されることが好ましい。
（形態４）形態２又は３のホイスティングシステムにおいて、
カラムは、ホイスティングシステムを前記１又は２以上の結合ポイントを用いた荷重支持結合に沿って案内することを可能にするレールを更に用いて、荷重支持結合を形成するよう構成されていることが好ましい。
（形態５）形態４のホイスティングシステムにおいて、
ブームは、レールから少なくとも１５ｍ又は少なくとも２５ｍの距離に到達することが好ましい。
（形態６）形態５のホイスティングシステムにおいて、
前記ブームは、
ヨーベアリング、但し、該ヨーベアリングの軸と前記レールの長手方向との間の角度は少なくとも０．５°又は凡そ０．７５°である、及び、
枢動ヒンジ、但し、該枢動ヒンジは、前記ブームを前記カラムに対し当該枢動ヒンジの周りで回動させて少なくとも２０°の枢動角度の変化を可能にするための液圧シリンダ又はエレクトロメカニカルアクチュエータを含む、
の少なくとも１つを介して前記カラムに結合していることが好ましい。
（形態７）形態２〜６の何れかのホイスティングシステムにおいて、
前記ブームは、ホイスティングケーブルを操作するためのケーブルを含むことが好ましい。
（形態８）形態２〜７の何れかのホイスティングシステムにおいて、
前記ブームは、該ブームと該ブームのホイスティングポイントから枢動ヒンジの中心への仮想ラインセグメントとの間に、少なくとも１．５ｍ又は少なくとも２．５ｍ又は凡そ４ｍの距離が得られるよう、湾曲ないし屈曲されることが好ましい。
（形態９）形態４〜８の何れかのホイスティングシステムにおいて、
前記タワーは前記１又は２以上の結合ポイントを含み、前記レールは前記カラムに結合されており、該レールは１０ｍの最小長さを有し、又は該レールは２０ｍの最小長さを有し、又は該レールは３４ｍの最小長さを有することが好ましい。
（形態１０）形態４〜９の何れかのホイスティングシステムにおいて、
前記レールの第１セクションは（１つの）結合ポイントに該レールを取り付けるために該レールを開く（open）よう構成された手段を含み、該手段は、更に、レールを閉じ、その結果、該レールが結合ポイントにスライド可能に結合されることにより、ホイスティングシステムを該レールに対し実質的に平行な方向に前記タワーに対し相対的に運動させることを可能にするよう構成されていることが好ましい。
（形態１１）形態２〜１０の何れかのホイスティングシステムにおいて、
前記カラムは、好ましくは連続（ないし無端：going around）チェーン又はクライミングアクチュエータ又はワゴンを用いることにより、ホイスティングシステムを前記タワーに沿って実質的に垂直方向に運動させるよう構成されていることが好ましい。
（形態１２）形態１１のホイスティングシステムにおいて、
前記クライミングアクチュエータはコネクションアクチュエータを含み、該コネクションアクチュエータは該クライミングアクチュエータの一方の端部を前記カラムから離れる又は該カラムに向かう方向へ運動させるよう構成されていることが好ましい。
（形態１３）形態１１又は１２のホイスティングシステムにおいて、
前記カラムは第１クライミングシステムと第２クライミングシステムを含み、各クライミングシステムは一方のサイドでは（１つの）結合ポイントにおいて結合（connection）を形成するよう構成されており、他方のサイドでは該カラムに結合されており、
各クライミングシステムは、ホイスティングシステムを実質的に垂直な配向で前記タワーに沿って運動させるよう構成されており、
該第１クライミングシステムと該第２クライミングシステムとの間のそれらの結合された端部間で測定される距離は、前記カラムの長手方向において少なくとも１．８ｍであることが好ましい。
（形態１４）形態４〜１３の何れかのホイスティングシステムにおいて、
前記荷重支持結合は、ホイスティングシステムを結合ポイントに結合するための荷重支持連結器（load bearing coupling）を含み、ホイスティング作業中、荷重支持連結器は、前記レールの長さの上側の６５％のところ又は前記レールの長さの上側の３５％のところ又は前記レールの長さの上側の１０％のところに位置付けられた単独の（ただ１つの：single）結合ポイントを介して、垂直力の少なくとも９０％を前記タワーに伝えるよう、構成されていることが好ましい。
（形態１５）形態１〜１４の何れかのホイスティングシステムは、更に、ディーゼル発電機、燃料電池又は蓄電池のような化学反応に基づく電源を含むことが好ましい。
（形態１６）形態１〜１５の何れかのホイスティングシステムは、タワー頂部セグメント及び風力タービンのナセル、発電機、ハブ及びブレード又はそれらの部分の１又は２以上をホイストしかつ設置するよう構成されていることが好ましい。
（形態１７）上記第２基本構成参照。
（形態１８）形態１７の風力タービンにおいて、
前記タワーは、１０ｍ超の相互間隔で又は３０ｍ未満の相互間隔で又は１５ｍ未満の相互間隔で配された複数の結合ポイントを含むことが好ましい。
（形態１９）形態１７又は１８の風力タービンにおいて、
前記タワーは、複数の積み重ねセグメントを含み、
少なくとも１つの結合ポイントは、２つの隣り合うタワーセグメントのオーバーラップ部分に位置付けられていることが好ましい。
（形態２０）形態１７〜１９の何れかの風力タービンにおいて、
少なくとも１つの結合ポイントは、該結合ポイントの中心から該結合ポイントの中心から少なくとも５０ｃｍ離れたところまでの又は該結合ポイントの中心から少なくとも１００ｃｍ離れたところまでの距離に沿って前記タワーの外側において補強されている、
風力タービン。
（形態２１）形態１７〜２０の何れかの風力タービンにおいて、
前記タワーの内部は、前記結合ポイントにおいて補強されていることが好ましい。
（形態２２）形態１７〜２１の何れかの風力タービンにおいて、
３つの連続する結合ポイントの中心は、前記タワーの長手方向に対し前記タワーの半径方向に２０ｃｍの最大偏差を伴って又は前記タワーの半径方向に１０ｃｍの最大偏差を伴って又は前記タワーの半径方向に５ｃｍの最大偏差を伴って整列していることが好ましい。
（形態２３）形態１７〜２２の何れかの風力タービンにおいて、
前記タワーは、タワー長さの５０％を超える又はタワー長さの８０％を超える荷重支持壁（load bearing wall）を含むことが好ましい。
（形態２４）形態１７〜２３の何れかの風力タービンにおいて、
前記タワーの長手方向に対し直角な方向における前記荷重支持壁の横断面は、円状又は多角形状に形成されていることが好ましい。
（形態２５）形態１７〜２４の何れかの風力タービンにおいて、
前記タワーは、チューブ状に形成され、かつ、複数の垂直セグメントから組み立てられ、
各セグメントは、１つのセグメントの長さにわたって延在する複数の湾曲又は屈曲プレートから組み立てられていることが好ましい。
（形態２６）形態１９〜２５の何れかの風力タービンにおいて、
前記セグメントの１又は２以上は、１０ｍ〜１６ｍの長さを有することが好ましい。
（形態２７）形態１７〜２６の何れかの風力タービンにおいて、
前記タワーは、タワー長さの少なくとも５０％にわたって又はタワー長さの少なくとも８０％にわたってテーパー状に（先細形状に）形成されていることが好ましい。
（形態２８）形態１７〜２７の何れかに記載の風力タービンにおいて、
全ての結合ポイントの高さの合計は、タワー長さの２０％未満又はタワー長さの１０％未満であることが好ましい。
（形態２９）形態１７〜２８の何れかの風力タービンにおいて、
風力タービンは、堤防（dike）の中央部から１００ｍ未満又は５０ｍ未満又は２０ｍ未満の距離のところに設置されていることが好ましい。
（形態３０）形態１７〜２９の何れかの風力タービンは、形態１〜１６の何れかのホイスティングシステムに応じて構成された第２のホイスティングシステムの分離可能な結合のために、前記タワーの長手方向に沿って連続的にかつタワー中心軸を中心とする円筒座標系において前記１又は２以上の結合ポイントから少なくとも２０°の角度差をなして位置付けられた１又は２以上の更なる結合ポイントを含むことが好ましい。
（形態３１）形態３０の風力タービンは、海面から突出する構造体を含み、
該構造体は、ホイスティングシステムの分離可能な結合かつ案内のための前記１又は２以上の結合ポイントの少なくとも１つを含む移行部分（transition piece）を含むことが好ましい。
（形態３２）形態１７〜３１の何れかの風力タービンにおいて、
風力タービンは軸高さ（axis height）を有し、該軸高さは８０ｍ超又は１３０ｍ超又は１８０ｍ超であることが好ましい。
（形態３３）形態１７〜３２の何れかの風力タービンにおいて、
風力タービンは設計（design）ｒｐｍを有し、
風速１２ｍ／ｓの場合の設計ｒｐｍと風速６ｍ／ｓの場合の設計ｒｐｍとの比は、３未満かつ１．３超又は１．５超又は１．８超であることが好ましい。
（形態３４）形態１７〜３３の何れかの風力タービンにおいて、
ホイスティングシステムは、前記タワーの実質的に一方のサイドの外側に分離可能に結合されており、それによって、風力タービンとホイスティングシステムのコンビネーションを形成することが好ましい。
（形態３５）形態３４の風力タービンにおいて、
ホイスティングシステムはカラムとレールを含み、
該カラムは該レールに結合されており、該レールは該タワーに沿ってホイスティングシステムを案内するよう構成されており、
該レールは前記結合ポイントの少なくとも１つに固定的に又はスライド可能に結合していることが好ましい。
（形態３６）形態３５の風力タービンにおいて、
前記レールは、少なくとも２つの結合ポイントに対しスライド可能に及び／又は固定的に結合されていることが好ましい。
（形態３７）形態３５又は３６の風力タービンにおいて、
風力タービンの建設中にタワーのパーツのホイスティング作業のためにホイスティングシステムを前記タワーに分離可能に結合するために使用される地表面から測定して最も高い位置にある結合ポイントは、最上部の２つの既設のタワーセグメントのオーバーラップ部分に位置付けられていることが好ましい。
（形態３８）形態３４〜３７の何れかの風力タービンにおいて、
ホイスティングシステムは、枢動ヒンジに対しホイスティングポイントのほぼ反対側においてカウンタウェート（釣り合い錘：contra weight）又はカウンタ（釣り合い）力を生成する手段なしで、前記タワーに分離可能に結合されていることが好ましい。
（形態３９）形態１７〜３８の何れかの風力タービンの、頂部タワーセグメント以外の、タワーセグメントにおいて、
該セグメントは、当該セグメントが風力タービンの部分として設置されるとき、形態１〜１６の何れかのホイスティングシステムを分離可能に結合するための結合ポイントを含む。
（形態４０）上記第３基本構成参照。
（形態４１）上記第４基本構成参照。
（形態４２）形態４０又は４１の方法は、
前記ホイスティングシステムを用いて連続するタワーセグメントの１又は２以上の部分をホイストし、該セグメントを設置することにより、前記タワーの部分を形成すること、及び、
前記ホイスティングシステムを前記結合ポイントに沿って上方へ案内し、前記レールを前記連続するタワーセグメントの１又は２以上の結合ポイントに固定的に又は分離可能に結合すること
を含むことが好ましい。
（形態４３）形態４２の方法は、
最後のタワーセグメントが設置されたのち、風力タービンのナセル、発電機、ハブ及びブレード又はこれらの部分の１又は２以上をホイストしかつ設置するステップを更に含むことが好ましい。
（形態４４）形態４３の方法において、
複数のブレードを一度に１つずつホイストする場合、該方法は、他のブレードをホイストしかつ設置するために適切な位置にハブを位置付けることを可能にするために、設置されたブレードを前記ホイスティングシステムを用いて上下にホイスト（昇降）することにより設置されたハブを回転させるステップを含むことが好ましい。
（形態４５）形態４０〜４４の何れかの方法において、
全体で４つの最下部タワーセグメントの何れか１つのホイスト中、前記ホイスティングシステムのブームのホイスティングポイントと、前記ホイスティングシステムと前記タワーの間の上側結合ポイントの中心との間の距離は、常に、該タワーセグメントの直径よりも小さいことが好ましい。
（形態４６）形態４０〜４５の何れかの方法は、形態３０に応じた第２ホイスティングシステムをホイストしかつ設置することを更に含み、該ホイスト及び設置は前記ホイスティングシステムを用いることが好ましい。
（形態４７）形態１７〜３８の何れかの風力タービン又は建設中の風力タービンに形態１〜１６の何れかのホイスティングシステムを分離可能に結合する方法において、
該ホイスティングシステムはカラムとレールを含み、該カラムは該レールに結合されており、該風力タービンは２又は３以上のタワーセグメントと１又は２以上の結合ポイントとを含むタワーを含み、
該方法は、前記レールを前記１又は２以上の結合ポイントに固定的に結合するステップを含む。
（形態４８）形態４０の方法において、
前記風力タービンは洋上風力タービンであり、
該方法は、１又は２以上のタワーセグメントに結合されたホイスティングシステムを船舶から該風力タービンの基部にホイストすることを更に含むことが好ましい。
（形態４９）形態４０の方法において、
前記風力タービンは洋上風力発電装置であり、
該方法は、該風力タービンの設置された部分に結合されたケーブルを用いて、前記ホイスティングシステムを台船（pontoon）から該風力タービンの設置された部分の１又は２以上の結合ポイントにホイストすることを更に含むことが好ましい。
（形態５０）上記第５基本構成参照。
（形態５１）上記第６基本構成参照。
以下の図面は本発明の例示的実施形態を示す。なお、各図は寸法通りには記載されていないと理解されるべきである。
なお、特許請求の範囲に付記した図面参照符号は専ら発明の理解を助けるためのものであり、本発明を図示の態様に限定することは意図していない。
【手続補正４】
【補正対象書類名】明細書
【補正対象項目名】０１３０
【補正方法】変更
【補正の内容】
【０１３０】
なお、本願において、用語「含む（comprising）」は他の要素又はステップを排除するものではないと理解されるべきである。更に、用語「１つの（ａ及びan）」は複数を排除するものではない。クレーム中の図面参照符号は何れもクレームの範囲を限定するものと理解されるべきではない。
ここに、本発明の態様を付記する。
（付記１）風力タービンの、好ましくは洋上風力タービンの、設置又はメンテナンスのためのホイスティングシステム。
ホイスティングシステムは、風力タービンタワーの既設部分に荷重支持結合（load bearing connection）を形成する手段を含み、及び、当該ホイスティングシステムを風力タービンタワーの既設部分に沿って上下運動させる手段を含む。
ホイスティングシステムは、タワーセグメント、ナセル、発電機、ハブ及びブレードの何れかを１又は２以上のコンバインドホイスト又はシングルホイストで設置又は除去するよう構成されている。
（付記２）洋上風力タービン又は陸上風力タービンの設置又はメンテナンスのための上記ホイスティングシステムにおいて、
風力タービンはタワーを含み、ホイスティングシステムはカラムとブームとウィンチとを含む。
カラムは、１又は２以上の結合ポイントを用いて、タワーの部分に対し荷重支持結合を形成するよう構成されている。
結合ポイントは、タワーの長手方向に沿ってとりわけ連続的に位置付けられている。
カラムは、荷重支持結合が形成されたとき、ホイスティングシステムをタワーの前記部分に沿って実質的に垂直方向に運動させるよう構成されている。
（付記３）上記のホイスティングシステムにおいて、
カラムと結合ポイントとの間の荷重支持結合は、ホイスティング作業中、荷重支持結合によるパーツ間ジョイント（joint）の仮想水平軸線の周りにおける少なくとも０．２５°の回転自由度、好ましくは少なくとも０．５°の回転自由度、より好ましくは１°の回転自由度を可能にするよう形成される。
（付記４）上記のホイスティングシステムにおいて、
カラムは、ホイスティングシステムを前記１又は２以上の結合ポイントを用いた荷重支持結合に沿って案内することを可能にするレールを更に用いて、荷重支持結合を形成するよう構成されている。
（付記５）上記のホイスティングシステムにおいて、
ブームは、レールから少なくとも１５ｍ、好ましくは少なくとも２５ｍの距離に到達する。
（付記６）上記のホイスティングシステムにおいて、
前記ブームは、
ヨーベアリング、但し、好ましくは、該ヨーベアリングの軸と前記レールの長手方向との間の角度は少なくとも０．５°、より好ましくは凡そ０．７５°である、及び、
枢動ヒンジ、但し、該枢動ヒンジは、好ましくは、前記ブームを前記カラムに対し当該枢動ヒンジの周りで回動させて少なくとも２０°の枢動角度の変化を可能にするための液圧シリンダ又はエレクトロメカニカルアクチュエータを含む、
の少なくとも１つを介して前記カラムに結合している。
（付記７）上記のホイスティングシステムにおいて、
前記ブームは、ホイスティングケーブルを操作するためのケーブルを含む。
（付記８）上記のホイスティングシステムにおいて、
前記ブームは、該ブームと該ブームのホイスティングポイントから枢動ヒンジの中心への仮想ラインセグメントとの間に、少なくとも１．５ｍ、好ましくは少なくとも２．５ｍ、より好ましくは凡そ４ｍの距離が得られるよう、湾曲ないし屈曲される。
（付記９）上記のホイスティングシステムにおいて、
前記タワーは前記１又は２以上の結合ポイントを含み、前記レールは前記カラムに結合されており、好ましくは該レールは１０ｍの最小長さを有し、より好ましくは該レールは２０ｍの最小長さを有し、一層より好ましくは該レールは３４ｍの最小長さを有する。
（付記１０）上記のホイスティングシステムにおいて、
前記レールの第１セクションは（１つの）結合ポイントに該レールを取り付けるために該レールを開く（open）よう構成された手段を含み、該手段は、更に、レールを閉じ、その結果、該レールが結合ポイントにスライド可能に結合されることにより、ホイスティングシステムを該レールに対し実質的に平行な方向に前記タワーに対し相対的に運動させることを可能にするよう構成されている。
（付記１１）上記のホイスティングシステムにおいて、
前記カラムは、好ましくは連続（ないし無端：going around）チェーン又はクライミングアクチュエータ又はワゴンを用いることにより、ホイスティングシステムを前記タワーに沿って実質的に垂直方向に運動させるよう構成されている。
（付記１２）上記のホイスティングシステムにおいて、
前記クライミングアクチュエータはコネクションアクチュエータを含み、該コネクションアクチュエータは該クライミングアクチュエータの一方の端部を前記カラムから離れる又は該カラムに向かう方向へ運動させるよう構成されている。
（付記１３）上記のホイスティングシステムにおいて、
前記カラムは第１クライミングシステムと第２クライミングシステムを含み、各クライミングシステムは一方のサイドでは（１つの）結合ポイントにおいて結合（connection）を形成するよう構成されており、他方のサイドでは該カラムに結合されている。
各クライミングシステムは、ホイスティングシステムを実質的に垂直な配向で前記タワーに沿って運動させるよう構成されている。
好ましくは、該第１クライミングシステムと該第２クライミングシステムとの間のそれらの結合された端部間で測定される距離は、前記カラムの長手方向において少なくとも１．８ｍである。
（付記１４）上記のホイスティングシステムにおいて、
前記荷重支持結合は、ホイスティングシステムを結合ポイントに結合するための荷重支持連結器（load bearing coupling）を含み、好ましくは、ホイスティング作業中、荷重支持連結器は、前記レールの長さの上側の６５％のところ、より好ましくは前記レールの長さの上側の３５％のところ、例えば前記レールの長さの上側の１０％のところ、に位置付けられた単独の（ただ１つの：single）結合ポイントを介して、垂直力の少なくとも９０％を前記タワーに伝えるよう、構成されている。
（付記１５）上記のホイスティングシステムは、更に、ディーゼル発電機、燃料電池又は蓄電池のような化学反応に基づく電源を含む。
（付記１６）上記のホイスティングシステムは、タワー頂部セグメント及び風力タービンのナセル、発電機、ハブ及びブレード又はそれらの部分の１又は２以上をホイストしかつ設置するよう構成されている。
（付記１７）陸上型又は洋上型の風力タービン。
該風力タービンは、タワー、ナセル、発電機、ハブ及び少なくとも１つのブレードを含む。
該タワーは、上記のホイスティングシステムの分離可能な結合及び案内のための１又は２以上の結合ポイントを含む。
前記結合ポイントは該タワーの長手方向に沿ってとりわけ連続的に位置付けられている。
（付記１８）上記の風力タービンにおいて、
前記タワーは、１０ｍ超の相互間隔で、好ましくは３０ｍ未満の相互間隔で、より好ましくは１５ｍ未満の相互間隔で配された複数の結合ポイントを含む。
（付記１９）上記の風力タービンにおいて、
前記タワーは、複数の積み重ねセグメントを含み、
少なくとも１つの結合ポイントは、２つの隣り合うタワーセグメントのオーバーラップ部分に位置付けられている。
（付記２０）上記の風力タービンにおいて、
少なくとも１つの結合ポイントは、該結合ポイントの中心から該結合ポイントの中心から少なくとも５０ｃｍ離れたところまでの、好ましくは該結合ポイントの中心から少なくとも１００ｃｍ離れたところまでの、距離に沿って前記タワーの外側において補強されている。
（付記２１）上記の風力タービンにおいて、
前記タワーの内部は、前記結合ポイントにおいて補強されている。
（付記２２）上記の風力タービンにおいて、
３つの連続する結合ポイントの中心は、前記タワーの長手方向に対し前記タワーの半径方向に２０ｃｍの最大偏差を伴って、好ましくは前記タワーの半径方向に１０ｃｍの最大偏差を伴って、より好ましくは前記タワーの半径方向に５ｃｍの最大偏差を伴って、整列している。
（付記２３）上記の風力タービンにおいて、
前記タワーは、タワー長さの５０％を超える、好ましくはタワー長さの８０％を超える、荷重支持壁（load bearing wall）を含む。
（付記２４）上記の風力タービンにおいて、
前記タワーの長手方向に対し直角な方向における前記荷重支持壁の横断面は、円状又は多角形状に形成されている。
（付記２５）上記の風力タービンにおいて、
前記タワーは、チューブ状に形成され、かつ、複数の垂直セグメントから組み立てられ、
各セグメントは、１つのセグメントの長さにわたって延在する複数の湾曲又は屈曲プレートから組み立てられている。
（付記２６）上記の風力タービンにおいて、
前記セグメントの１又は２以上は、１０ｍ〜１６ｍの長さを有する。
（付記２７）上記の風力タービンにおいて、
前記タワーは、タワー長さの少なくとも５０％にわたって、好ましくはタワー長さの少なくとも８０％にわたって、テーパー状に（先細形状に）形成されている。
（付記２８）上記の風力タービンにおいて、
全ての結合ポイントの高さの合計は、タワー長さの２０％未満、好ましくはタワー長さの１０％未満である。
（付記２９）上記の風力タービンは、堤防（dike）の中央部から１００ｍ未満、好ましくは５０ｍ未満、より好ましくは２０ｍ未満の距離のところに設置されている。
（付記３０）上記の風力タービンは、上記のホイスティングシステムに応じて構成された第２のホイスティングシステムの分離可能な結合のために、前記タワーの長手方向に沿って連続的にかつタワー中心軸を中心とする円筒座標系において前記１又は２以上の結合ポイントから少なくとも２０°の角度差をなして位置付けられた１又は２以上の更なる結合ポイントを含む。
（付記３１）上記の風力タービンは、海面から突出する構造体を含む。
該構造体は、ホイスティングシステムの分離可能な結合かつ案内のための前記１又は２以上の結合ポイントの少なくとも１つを含む移行部分（transition piece）を含む。
（付記３２）上記の風力タービンは軸高さ（axis height）を有し、該軸高さは８０ｍ超、好ましくは１３０ｍ超、より好ましくは１８０ｍ超である。
（付記３３）上記の風力タービンは設計（design）ｒｐｍを有し、
風速１２ｍ／ｓの場合の設計ｒｐｍと風速６ｍ／ｓの場合の設計ｒｐｍとの比は、３未満かつ１．３超、好ましくは１．５超、より好ましくは１．８超である。
（付記３４）上記の風力タービンにおいて、
ホイスティングシステムは、前記タワーの実質的に一方のサイドの外側に分離可能に結合されており、それによって、風力タービンとホイスティングシステムのコンビネーションを形成する。
（付記３５）上記の風力タービンにおいて、
ホイスティングシステムはカラムとレールを含む。
該カラムは該レールに結合されており、該レールは該タワーに沿ってホイスティングシステムを案内するよう構成されている。
該レールは前記結合ポイントの少なくとも１つに固定的に又はスライド可能に結合している。
（付記３６）上記の風力タービンにおいて、
前記レールは、少なくとも２つの結合ポイントに対しスライド可能に及び／又は固定的に結合されている。
（付記３７）上記の風力タービンにおいて、
風力タービンの建設中にタワーのパーツのホイスティング作業のためにホイスティングシステムを前記タワーに分離可能に結合するために使用される地表面から測定して最も高い位置にある結合ポイントは、最上部の２つの既設のタワーセグメントのオーバーラップ部分に位置付けられている。
（付記３８）上記の風力タービンにおいて、
ホイスティングシステムは、枢動ヒンジに対しホイスティングポイントのほぼ反対側においてカウンタウェート（釣り合い錘：contra weight）又はカウンタ（釣り合い）力を生成する手段なしで、前記タワーに分離可能に結合されている。
（付記３９）上記の風力タービンの、頂部タワーセグメント以外の、タワーセグメント。
該セグメントは、当該セグメントが風力タービンの部分として設置されるとき、上記のホイスティングシステムを分離可能に結合するための結合ポイントを含む。
（付記４０）上記の風力タービンを建設するための方法。
該方法は、上記のホイスティングシステムを用いて基部の上部に１又は２以上のタワーセグメントを設置することにより風力タービンのタワーの少なくとも一部分を構築することを含む。
（付記４１）上記の風力タービンを建設するための方法。
該方法は、前記ホイスティングシステムを用いない伝統的な建設方法を用いて地平面の近くに設置される１又は２以上の底部タワーセグメントを建設することを含む。
（付記４２）上記の方法は、
前記ホイスティングシステムを用いて連続するタワーセグメントの１又は２以上の部分をホイストし、該セグメントを設置することにより、前記タワーの部分を形成すること、及び、
前記ホイスティングシステムを前記結合ポイントに沿って上方へ案内し、前記レールを前記連続するタワーセグメントの１又は２以上の結合ポイントに固定的に又は分離可能に結合すること
を含む。
（付記４３）上記の方法は、
最後のタワーセグメントが設置されたのち、風力タービンのナセル、発電機、ハブ及びブレード又はこれらの部分の１又は２以上をホイストしかつ設置するステップを更に含む。
（付記４４）上記の方法は、
複数のブレードを一度に１つずつホイストする場合、他のブレードをホイストしかつ設置するために適切な位置にハブを位置付けることを可能にするために、設置されたブレードを前記ホイスティングシステムを用いて上下にホイスト（昇降）することにより設置されたハブを回転させるステップを含む。
（付記４５）上記の方法において、
全体で４つの最下部タワーセグメントの何れか１つのホイスト中、前記ホイスティングシステムのブームのホイスティングポイントと、前記ホイスティングシステムと前記タワーの間の上側結合ポイントの中心との間の距離は、常に、該タワーセグメントの直径よりも小さい。
（付記４６）上記の方法は、
付記３０に応じた第２ホイスティングシステムをホイストしかつ設置することを更に含み、該ホイスト及び設置は前記ホイスティングシステムを用いる。
（付記４７）上記の風力タービン又は建設中の風力タービンに上記のホイスティングシステムを分離可能に結合する方法。
該方法は、該ホイスティングシステムはカラムとレールを含み、該カラムは該レールに結合されており、該風力タービンは２又は３以上のタワーセグメントと１又は２以上の結合ポイントとを含むタワーを含む。
該方法は、前記レールを前記１又は２以上の結合ポイントに固定的に結合するステップを含む。
（付記４８）上記の方法において、
前記風力タービンは洋上風力タービンである。
該方法は、１又は２以上のタワーセグメントに結合されたホイスティングシステムを船舶から該風力タービンの基部にホイストすることを更に含む。
（付記４９）上記の方法において、
前記風力タービンは洋上風力発電装置である。
該方法は、該風力タービンの設置された部分に結合されたケーブルを用いて、前記ホイスティングシステムを台船（pontoon）から該風力タービンの設置された部分の１又は２以上の結合ポイントにホイストすることを更に含む。
（付記５０）上記の風力タービン又は建設中の風力タービンから上記のホイスティングシステムを除去する方法。
該ホイスティングシステムはカラムとレールを含み、該カラムは該レールに結合されており、該風力タービンは２又は３以上のタワーセグメントと１又は２以上の結合ポイントとを含むタワーを含む。
該方法は、結合ポイントに対する前記レールの固定的な結合を解除するステップ、結合ポイントに対する前記レールのスライド可能な結合を用いて前記ホイスティングシステムを下方に運動させるステップ、及び、該ホイスティングシステムを該風力タービンから取り去るステップを含む。
（付記５１）既設の風力タービンを適合化するための方法。
該方法は、１又は２以上の結合ポイントを該既設の風力タービンのタワーに適用し、それによって、上記のホイスティングシステムを該既設の風力タービンの当該１又は２以上の結合ポイントに分離可能に結合可能にすること、
を含む。